(57)【要約】【課題】判別するキーの数が多くなっても、抵抗数の増加を抑制してコストを低減することができるキー入力装置を提供する。【解決手段】分圧回路１２ａにおいて、スイッチＳＷ１のみが接続されている回路Ｌ１と、抵抗１６ａとスイッチＳＷ２が直列接続されている回路Ｌ２と、抵抗１７ａとスイッチＳＷ３が直列接続されている回路Ｌ３と、抵抗１８ａとスイッチＳＷ４が直列接続されている回路Ｌ４を並列に接続するとともに、当該並列回路の一方を制限抵抗１４に接続し、他方を接地点Ｇに接続する。また、１つの回路における接続点と他の回路における接続点にまたがって、スイッチＳＷ５〜ＳＷ８を設け、当該スイッチにより少なくとも２つの回路の各抵抗が並列接続されるように構成する。【選択図】図２
2010055165.tif 000002
【特許請求の範囲】
【請求項１】
複数のキーと、一端が電源に接続された制限抵抗と、前記制限抵抗の他端に接続され、前記複数のキーのいずれかが操作された場合に、キーに応じて異なる電圧を生成する分圧回路とを備え、当該分圧回路で生成された電圧に基づいて、操作されたキーの判別を行うキー入力装置において、
前記分圧回路は、複数の抵抗と、前記複数のキーのそれぞれに対応する複数のスイッチとを備えており、
前記複数のスイッチは、第１のスイッチ群と第２のスイッチ群とからなり、
前記複数の抵抗のうちの１つと、前記第１のスイッチ群を構成するスイッチのうちの１つとが直列に接続された回路が複数設けられており、
前記複数の回路は並列に接続されていて、一端が前記制限抵抗に接続されているとともに他端が接地されており、
前記並列に接続された各回路は、それぞれ抵抗とスイッチとの間に接続点を有し、１つの回路における前記接続点と他の回路における前記接続点との間に、前記第２のスイッチ群を構成するスイッチのうちの１つが接続されており、当該スイッチにより少なくとも２つの回路の各抵抗が並列接続されるように構成されていることを特徴とするキー入力装置。
【請求項２】
請求項１に記載のキー入力装置において、
前記複数の抵抗は、それぞれ抵抗値の異なる抵抗であることを特徴とするキー入力装置。
【発明の詳細な説明】
【技術分野】
【０００１】
本発明は、複数のキーの中から操作されたキーを判別するキー入力装置に関する。
【背景技術】
【０００２】
従来、電子機器は、当該機器に関する各種設定や動作の切り替え等の操作を行うためのキーを、機器の前面や側面等に複数備えている。このような電子機器において、いずれかのキーが操作された場合、当該キーに応じた信号（電圧信号）が、例えば、電子機器内部に設けられたマイクロコンピュータに供給される。マイクロコンピュータでは、供給された信号（電圧信号）に基づいて操作されたキーの判別を行い、判別結果に基づいて電子機器の動作制御等を行う。
【０００３】
マイクロコンピュータに供給された信号（電圧信号）に基づいて、操作されたキーの判別を行う手段としては、後掲の特許文献１〜特許文献３に記載の手段が一般的である。
特許文献１には、複数の選択キーをマトリックス状の配列で構成したキーボードにおいて、いずれか１つの選択キーを押圧した場合に、押圧された選択キーに応じた２組の電圧レベルを検出し、検出結果に基づいて押圧された選択キーを判別するキーマトリックス回路が記載されている。
【０００４】
特許文献２には、複数のキースイッチ群と、キースイッチによる操作指令をホールドするホールドスイッチを具備したキースイッチ回路において、キースイッチ群の内、いずれのキースイッチも操作されていない場合に、当該キー回路に生じる出力電圧とは異なる特定電圧値に固定するホールド回路を備えることにより、キースイッチ回路が接続されているか否かの識別を、ＣＰＵ（Central Processing Unit）等の入力ポートを増加させたりすることなく行えるキースイッチ回路が記載されている。
【０００５】
特許文献３には、入力されるキーに応じた抵抗値を生じるように構成された複数の抵抗ストリング部の一端が、それぞれ電源電位と電気的に接続され、選択部が制御部からの選択指令に応じて、複数の抵抗ストリング部の内、１つを接地電位と電気的に接続するキー入力装置において、制御部からの選択指令に応じた１つの抵抗ストリング部が、電源電位と電気的に接続され、当該抵抗ストリング部に入力されたキーに応じた電圧値が、接続ノードに生じた場合に、制御部が、接続ノードに生じる電圧値と、選択部へ与える選択指令とに基づいて、入力されたキーを判定するキー入力装置が記載されている。
【０００６】
【特許文献１】特開２００１−５１７７４号公報
【特許文献２】特開２０００−１３７５６７号公報
【特許文献３】特開２００７−３２３２９５号公報
【発明の開示】
【発明が解決しようとする課題】
【０００７】
上記特許文献に記載の回路や装置においては、マイクロコンピュータに供給された信号（電圧信号）に基づいて操作されたキーの判別を行う手段として、複数の抵抗を直列に接続し、単数または複数の直列抵抗の和による分圧電圧に基づいて、操作されたキーを判別している。
【０００８】
このため、判別を行うキーの数が多くなると、当該キー判別に要する抵抗の数も増やす必要があるため、キーの数の増大に伴ってコストが増加するという問題が生じる。また、抵抗の数が増えると、回路の大型化や消費電力の増大という問題も生じる。
【０００９】
本発明は、上述した問題点に鑑み、判別するキーの数が多くなっても、抵抗数の増加を抑制してコストを低減することができるキー入力装置を提供することを目的としている。
【課題を解決するための手段】
【００１０】
本発明に係るキー入力装置は、複数のキーと、一端が電源に接続された制限抵抗と、この制限抵抗の他端に接続され、複数のキーのいずれかが操作された場合に、キーに応じて異なる電圧を生成する分圧回路とを備え、当該分圧回路で生成された電圧に基づいて、操作されたキーの判別を行うキー入力装置であって、分圧回路は、複数の抵抗と、前記複数のキーのそれぞれに対応する複数のスイッチとを備えている。複数のスイッチは、第１のスイッチ群と第２のスイッチ群とからなり、複数の抵抗のうちの１つと、第１のスイッチ群を構成するスイッチのうちの１つとが直列に接続された回路が複数設けられている。これらの複数の回路は並列に接続されていて、一端が制限抵抗に接続されているとともに他端が接地されている。並列に接続された各回路は、それぞれ抵抗とスイッチとの間に接続点を有し、１つの回路における接続点と他の回路における接続点との間に、第２のスイッチ群を構成するスイッチのうちの１つが接続されており、当該スイッチにより少なくとも２つの回路の各抵抗が並列接続されるように構成されている。
【００１１】
このように、スイッチと抵抗が直列に接続された回路を並列に接続するとともに、各回路のスイッチと抵抗との接続点にまたがってスイッチを設けることにより、複数の抵抗を直列に接続した分圧回路に比べて、電圧値が異なる多種類の分圧電圧を生成することができる。このため、同じ数の抵抗を用いて分圧回路を構成した場合、本発明のほうが従来に比べてより多くのキーを判別することが可能となる。したがって、キーの数が増大しても抵抗数の増加を抑制して、コストの低減を図ることができる。
【００１２】
本発明のキー入力装置において、複数の抵抗を、それぞれ抵抗値の異なる抵抗で構成してもよい。
【００１３】
このようにすることで、分圧回路において、電圧値の異なる分圧電圧を生成しやすくなるため、電圧値が接近していることに起因して誤ったキー判別が行われることを防止することができる。
【発明の効果】
【００１４】
本発明によれば、判別するキーの数が多くなっても、抵抗数の増加を抑制してコストを低減することができるキー入力装置を提供することができる。
【発明を実施するための最良の形態】
【００１５】
以下、本発明の実施形態につき、図面を参照しながら説明する。
【００１６】
まず、一般的なキー入力装置の構成に関し、図１のブロック図を用いて説明する。図１に示すように、キー入力装置１は、複数のキーを有している入力回路１０と、入力回路１０から出力される電圧信号に基づいて入力操作が行われたキーを判別する演算処理回路２０から構成されている。
【００１７】
入力回路１０は、キーＫと、電源１１と、分圧回路１２と、電圧信号を出力する出力ポート１３と、一方の端部が電源１１に接続され、他方の端部が接続ライン１５を介して分圧回路１２に接続された制限抵抗１４により構成されている。出力ポート１３は、制限抵抗１４と分圧回路１２の接続点Ｐに接続されている。尚、電源１１の電圧値はＶ０であり、制限抵抗１４の抵抗値はＲ１である。
【００１８】
また、演算処理回路２０は、ＬＳＩ（Large  Scale Integration）から成り、例えば、制御部２１と、入力ポート２２と、Ａ／Ｄ変換部２３と、一時記憶部２４と、記憶部２５と、出力部２６から構成されている。
【００１９】
制御部２１は、ＣＰＵ（Central  Processing Unit）から成り、演算処理回路２０の各部を統括して制御する。
【００２０】
入力ポート２２は、入力回路１０の出力ポート１３から出力された電圧信号を入力した後、Ａ／Ｄ変換部２３に出力する。Ａ／Ｄ変換部２３は、入力された電圧信号をアナログ信号からデジタル信号に変換する。
【００２１】
一時記憶部２４は、ＲＡＭ（Random Access Memory）等から成り、Ａ／Ｄ変換部２３から出力された電圧信号を一時的に記憶するための記憶領域等を備えている。
【００２２】
記憶部２５は、ＲＯＭ（Read  Only Memory）等から成り、制御部２１により実行される各種プログラムや、各種プログラムの実行に際して読み出されるデータ等を備えている。
【００２３】
詳しくは、記憶部２５は、入力回路１０から出力される電圧信号（電圧値）に基づいてキー判別を実行する判別プログラム２５ａと、入力ポート２２に入力される電圧信号（電圧値）と判別されるキーの種類とが対応付けて記録されている変換テーブル２５ｂを備えている。尚、変換テーブル２５ｂの詳細については、後述する。
【００２４】
出力部２６は、判別プログラム２５ａの実行により判別されたキーに関する情報（以下、「キー情報」と記載）を、キー入力装置１と接続された図示しない機器（例えば、ＤＶＤ（Digital Versatile Disc）プレーヤー等）に出力する。
【００２５】
上記の様に構成されたキー入力装置１において、入力操作が行われたキーを判別する場合、キー毎に設定された電圧を分圧回路１２により生成し、生成された分圧電圧から成る電圧信号を、接続ライン１５および出力ポート１３を介して、演算処理回路２０に出力する。そして、演算処理回路２０において、制御部２１の制御の下、判別プログラム２５ａ、変換テーブル２５ｂにより、入力ポート２２に入力された電圧信号に基づくキー判別が行われる。
【００２６】
ここで、分圧回路１２の従来例として、図６に示す分圧回路１２ｃと、図７に示す分圧回路１２ｄを挙げる。
【００２７】
まず、図６において、分圧回路１２ｃは、抵抗１６ｃ〜抵抗１８ｃの３個の抵抗と、入力操作が行われる４個のキー（ＫＥＹ５１〜ＫＥＹ５４）にそれぞれ対応した４個のスイッチ（ＳＷ５１〜ＳＷ５４）を備えている。尚、抵抗１６ｃ〜１８ｃの抵抗値は、それぞれＲ２〜Ｒ４である。
【００２８】
当該分圧回路１２ｃにおいて、抵抗１６ｃ〜抵抗１８ｃは直列に接続されており、接続ライン１５と抵抗１６ｃの接続点Ｐ５１には、スイッチＳＷ５１の一方の端部（以下、「一端」と記載）が接続されている。以下、同様に、抵抗１６ｃと抵抗１７ｃの接続点Ｐ５２には、スイッチＳＷ５２の一端が接続され、抵抗１７ｃと抵抗１８ｃの接続点Ｐ５３には、スイッチＳＷ５３の一端が接続され、抵抗１８ｃの端部には、スイッチＳＷ５４の一端が接続されている。
【００２９】
また、スイッチＳＷ５１の他方の端部（以下、「他端」と記載）は、各スイッチ（ＳＷ５１〜ＳＷ５４）を共通接続するアースラインＬ２１の一端に設けられた接続点Ｐ５４に接続されている。以下、同様に、スイッチＳＷ５２の他端は、アースラインＬ２１上に設けられた接続点Ｐ５５に接続され、スイッチＳＷ５３の他端は、アースラインＬ２１上に設けられた接続点Ｐ５６に接続され、スイッチＳＷ５４の他端は、アースラインＬ２１の他端に設けられた接続点Ｐ５７に接続されている。
【００３０】
さらに、アースラインＬ２１の一端に設けられた接続点Ｐ５４は、接地点Ｇとも接続されているため、各スイッチ（ＳＷ５１〜ＳＷ５４）の他端は、アースラインＬ２１を介して接地点Ｇに共通接続されている。
【００３１】
上記構成において、例えば、ＫＥＹ５１が操作された場合、接続ライン１５の一端と接地点Ｇとが、接続点Ｐ５１，Ｐ５４に接続されたスイッチＳＷ５１により短絡されるため、当該分圧回路１２ｃに生じる分圧電圧、つまり、接続点Ｐから出力ポート１３（図１）に入力される入力電圧Ｖ１は、Ｖ１＝０で表される。
【００３２】
同様に、例えば、ＫＥＹ５２が操作された場合、抵抗１６ｃの一端と接地点Ｇとが、接続点Ｐ５２，Ｐ５５間に接続されたスイッチＳＷ５２により短絡されるため、入力電圧Ｖ１は、Ｖ１＝Ｖ０＊Ｒ２／（Ｒ１＋Ｒ２）で表される。（＊は積を表す。以下同様。）
【００３３】
ＫＥＹ５３が操作された場合は、抵抗１７ｃの一端と接地点Ｇとが、接続点Ｐ５３，Ｐ５６間に接続されたスイッチＳＷ５３により短絡されるため、入力電圧Ｖ１は、Ｖ１＝Ｖ０＊（Ｒ２＋Ｒ３）／（Ｒ１＋Ｒ２＋Ｒ３）で表される。
【００３４】
ＫＥＹ５４が操作された場合は、抵抗１８ｃの一端と接地点Ｇとが、当該抵抗１８ｃの端部と接続点Ｐ５７との間に接続されたスイッチＳＷ５４により短絡されるため、入力電圧Ｖ１は、Ｖ１＝Ｖ０＊（Ｒ２＋Ｒ３＋Ｒ４）／（Ｒ１＋Ｒ２＋Ｒ３＋Ｒ４）で表される。
【００３５】
このように、分圧回路１２ｃにおいては、キー操作によりスイッチＳＷ５１〜ＳＷ５４のいずれかのスイッチを用いて回路中の所定箇所を短絡させることにより、値がそれぞれ異なる４種の分圧電圧が生じる。そして、当該分圧回路１２ｃにおいて生じた分圧電圧は、入力電圧Ｖ１として、接続点Ｐを介して出力ポート１３に入力される。
【００３６】
次に、図７において、分圧回路１２ｄは、抵抗１６ｄ〜抵抗１９ｄの４個の抵抗と、入力操作が行われる５個のキー（ＫＥＹ６１〜ＫＥＹ６５）にそれぞれ対応した５個のスイッチ（ＳＷ６１〜ＳＷ６５）を備えている。尚、抵抗１６ｄ〜１９ｄの抵抗値は、それぞれＲ２〜Ｒ５である。
【００３７】
当該分圧回路１２ｄにおいて、抵抗１６ｄ〜抵抗１９ｄは直列に接続されており、接続ライン１５と抵抗１６ｄの接続点Ｐ６１には、スイッチＳＷ６１の一端が接続されている。以下、同様に、抵抗１６ｄと抵抗１７ｄの接続点Ｐ６２には、スイッチＳＷ６２の一端が接続され、抵抗１７ｄと抵抗１８ｄの接続点Ｐ６３には、スイッチＳＷ６３の一端が接続され、抵抗１８ｄと抵抗１９ｄの接続点Ｐ６４には、スイッチＳＷ６４の一端が接続され、抵抗１９ｄの端部には、スイッチＳＷ６５の一端が接続されている。
【００３８】
また、スイッチＳＷ６１の他端は、各スイッチ（ＳＷ６１〜ＳＷ６５）を共通接続するアースラインＬ３１の一端に設けられた接続点Ｐ６５に接続されている。以下、同様に、スイッチＳＷ６２の他端は、アースラインＬ３１上に設けられた接続点Ｐ６６に接続され、スイッチＳＷ６３の他端は、アースラインＬ３１上に設けられた接続点Ｐ６７に接続され、スイッチＳＷ６４の他端は、アースラインＬ３１上に設けられた接続点Ｐ６８に接続され、スイッチＳＷ６５の他端は、アースラインＬ３１の他端に設けられた接続点Ｐ６９に接続されている。
【００３９】
さらに、アースラインＬ３１の一端に設けられた接続点Ｐ６５は、接地点Ｇとも接続されているため、各スイッチ（ＳＷ６１〜ＳＷ６５）の他端は、アースラインＬ３１を介して接地点Ｇに共通接続されている。
【００４０】
上記構成において、例えば、ＫＥＹ６１が操作された場合は、接続ライン１５の一端と接地点Ｇとが、接続点Ｐ６１，Ｐ６５間に接続されたスイッチＳＷ６１により短絡されるため、当該分圧回路１２ｄに生じる分圧電圧、つまり、接続点Ｐから出力ポート１３に入力される入力電圧Ｖ１は、Ｖ１＝０で表される。
【００４１】
ＫＥＹ６２が操作された場合は、抵抗１６ｄの一端と接地点Ｇとが、接続点Ｐ６２，Ｐ６６間に接続されたスイッチＳＷ６２により短絡されるため、入力電圧Ｖ１は、Ｖ１＝Ｖ０＊Ｒ２／（Ｒ１＋Ｒ２）で表される。
【００４２】
ＫＥＹ６３が操作された場合は、抵抗１７ｄの一端と接地点Ｇとが、接続点Ｐ６３，Ｐ６７間に接続されたスイッチＳＷ６３により短絡されるため、入力電圧Ｖ１は、Ｖ１＝Ｖ０＊（Ｒ２＋Ｒ３）／（Ｒ１＋Ｒ２＋Ｒ３）で表される。
【００４３】
ＫＥＹ６４が操作された場合は、抵抗１８ｄの一端と接地点Ｇとが、接続点Ｐ６４，Ｐ６８間に接続されたスイッチＳＷ６４により短絡されるため、入力電圧Ｖ１は、Ｖ１＝Ｖ０＊（Ｒ２＋Ｒ３＋Ｒ４）／（Ｒ１＋Ｒ２＋Ｒ３＋Ｒ４）で表される。
【００４４】
ＫＥＹ６５が操作された場合は、抵抗１９ｄの端部と接地点Ｇとが、当該抵抗１９ｄの端部と接続点Ｐ６９との間に接続されたスイッチＳＷ６５により短絡されるため、入力電圧Ｖ１は、Ｖ１＝Ｖ０＊（Ｒ２＋Ｒ３＋Ｒ４＋Ｒ５）／（Ｒ１＋Ｒ２＋Ｒ３＋Ｒ４＋Ｒ５）で表される。
【００４５】
このように、分圧回路１２ｄにおいては、キー操作によりスイッチＳＷ６１〜ＳＷ６５のいずれかのスイッチを用いて回路中の所定箇所を短絡させることにより、値がそれぞれ異なる５つの分圧電圧が生じる。そして、当該分圧回路１２ｄにおいて生じた分圧電圧は、入力電圧Ｖ１として、接続点Ｐを介して出力ポート１３に入力される。
【００４６】
尚、分圧回路１２ｃおよび分圧回路１２ｄにおいて、いずれのキーも操作されない場合は、それぞれの分圧回路において上述の分圧電圧は生じないため、値がＶ０である入力電圧Ｖ１が、電源１１より制限抵抗１４を介して出力ポート１３に入力される。
【００４７】
このため、図１の分圧回路１２が、抵抗１６ｃ〜抵抗１８ｃの３個の抵抗を備えた従来の分圧回路１２ｃ（図６）である場合、値がそれぞれ異なる５種の入力電圧Ｖ１が、出力ポート１３を介して、演算処理回路２０に入力されるため、演算処理回路２０において、当該入力電圧Ｖ１に基づいて所定の処理を行うことにより、異なる５種のキー判別を行うことができる。
【００４８】
同様に、図１の分圧回路１２が、抵抗１６ｄ〜抵抗１９ｄの４個の抵抗を備えた従来の分圧回路１２ｄ（図７）である場合、値がそれぞれ異なる６種の入力電圧Ｖ１が、出力ポート１３を介して、演算処理回路２０に入力されるため、演算処理回路２０において、当該入力電圧Ｖ１に基づいて所定の処理を行うことにより、異なる６種のキー判別を行うことができる。
【００４９】
しかしながら、分圧回路１２ｃや分圧回路１２ｄのように抵抗を直列接続した構成では、判別するキーの数が多くなると、多数の抵抗を設けねばならず、部品点数の増加に伴ってコストが上昇する。
【００５０】
そこで、本実施形態においては、上記課題を解決するために、図２の分圧回路１２ａや、図３の分圧回路１２ｂのような回路構成を採用する。
【００５１】
まず、図２に示す分圧回路１２ａは、抵抗値がＲ２である抵抗１６ａと、抵抗値がＲ３である抵抗１７ａと、抵抗値がＲ４である抵抗１８ａの計３個の抵抗を備え、スイッチＳＷ１のみが接続されている回路Ｌ１と、抵抗１６ａとスイッチＳＷ２が直列接続されている回路Ｌ２と、抵抗１７ａとスイッチＳＷ３が直列接続されている回路Ｌ３と、抵抗１８ａとスイッチＳＷ４が直列接続されている回路Ｌ４により構成される。なお、抵抗値Ｒ２〜Ｒ４はそれぞれ異なっており、一例を示すと、Ｒ２＝０．８ｋΩ、Ｒ３＝１．５ｋΩ、Ｒ４＝３．０ｋΩである。このように抵抗値を異ならせることで、異なる電圧値の分圧電圧を生成しやすくなる。
【００５２】
詳しくは、回路Ｌ１〜回路Ｌ４を並列に接続するとともに、当該並列回路の一端を接続ライン１５を介して制限抵抗１４に接続し、他端を接地点Ｇに接続する。
【００５３】
また、回路Ｌ２の抵抗１６ａとスイッチＳＷ２との間において、抵抗１６ａに近いほうから順に、３つの接続点Ｐ１〜Ｐ３を設ける。以下、同様に、回路Ｌ３の抵抗１７ａとスイッチＳＷ３との間において、抵抗１７ａに近いほうから順に、３つの接続点Ｐ４〜Ｐ６を設け、回路Ｌ４の抵抗１８ａとスイッチＳＷ４との間において、抵抗１８ａに近いほうから順に、３つの接続点Ｐ７〜Ｐ９を設ける。
【００５４】
さらに、接続点Ｐ１−Ｐ４間において、抵抗１６ａと抵抗１７ａとを短絡するためのスイッチＳＷ５を設ける。以下、同様に、接続点Ｐ２−Ｐ８間において、抵抗１６ａと抵抗１８ａとを短絡するためのスイッチＳＷ６を設け、接続点Ｐ５−Ｐ７間において、抵抗１７ａと抵抗１８ａとを短絡するためのスイッチＳＷ７を設け、接続点Ｐ３−Ｐ６−Ｐ９間において、抵抗１６ａと抵抗１７ａと抵抗１８ａとを短絡するためのスイッチＳＷ８を設ける。
【００５５】
尚、上述した４つのスイッチＳＷ５〜ＳＷ８は、それぞれ３個の接点を有しており、中間の接点が接地点Ｇに共通接続されている。
【００５６】
ここで、上記構成の分圧回路１２ａにおいて、スイッチＳＷ１〜スイッチＳＷ８は、入力操作が行われる異なる８個のキー（ＫＥＹ１〜ＫＥＹ８）にそれぞれ対応している。なお、スイッチＳＷ１〜ＳＷ４は、本発明における第１のスイッチ群を構成し、スイッチＳＷ５〜ＳＷ８は、本発明における第２のスイッチ群を構成している。
【００５７】
このため、例えば、ＫＥＹ１が操作された場合は、接続ライン１５の一端と接地点Ｇとが、スイッチＳＷ１により短絡されるため、分圧回路１２ａに生じる分圧電圧、つまり、接続点Ｐから出力ポート１３に入力される入力電圧Ｖ１は、Ｖ１＝０で表される。
【００５８】
ＫＥＹ２が操作された場合は、抵抗１６ａの一端と接地点Ｇとが、スイッチＳＷ２により短絡されるため、入力電圧Ｖ１は、Ｖ１＝Ｖ０＊Ｒ２／（Ｒ１＋Ｒ２）で表される。
【００５９】
ＫＥＹ３が操作された場合は、抵抗１７ａの一端と接地点Ｇとが、スイッチＳＷ３により短絡されるため、入力電圧Ｖ１は、Ｖ１＝Ｖ０＊Ｒ３／（Ｒ１＋Ｒ３で表される。
【００６０】
ＫＥＹ４が操作された場合は、抵抗１８ａの一端と接地点Ｇとが、スイッチＳＷ４により短絡されるため、入力電圧Ｖ１は、Ｖ１＝Ｖ０＊Ｒ４／（Ｒ１＋Ｒ４で表される。
【００６１】
ＫＥＹ５が操作された場合は、抵抗１６ａの一端と抵抗１７ａの一端が、スイッチＳＷ５により短絡されるとともに、当該スイッチＳＷ５を介して、接地点Ｇと接続されるため、入力電圧Ｖ１は、Ｖ１＝Ｖ０＊Ｒ２＊Ｒ３／（Ｒ１＊Ｒ２＋Ｒ１＊Ｒ３＋Ｒ２＊Ｒ３）で表される。
【００６２】
ＫＥＹ６が操作された場合は、抵抗１６ａの一端と抵抗１８ａの一端が、スイッチＳＷ６により短絡されるとともに、当該スイッチＳＷ６を介して、接地点Ｇと接続されるため、入力電圧Ｖ１は、Ｖ１＝Ｖ０＊Ｒ２＊Ｒ４／（Ｒ１＊Ｒ２＋Ｒ１＊Ｒ４＋Ｒ２＊Ｒ４）で表される。
【００６３】
ＫＥＹ７が操作された場合は、抵抗１７ａの一端と抵抗１８ａの一端が、スイッチＳＷ７により短絡されるとともに、当該スイッチＳＷ７を介して、接地点Ｇと接続されるため、入力電圧Ｖ１は、Ｖ１＝Ｖ０＊Ｒ３＊Ｒ４／（Ｒ１＊Ｒ３＋Ｒ１＊Ｒ４＋Ｒ３＊Ｒ４）で表される。
【００６４】
ＫＥＹ８が操作された場合は、抵抗１６ａの一端と、抵抗１７ａの一端と、抵抗１８ａの一端が、スイッチＳＷ８により短絡されるとともに、当該スイッチＳＷ８を介して、接地点Ｇと接続されるため、入力電圧Ｖ１は、Ｖ１＝Ｖ０＊Ｒ２＊Ｒ３＊Ｒ４／（Ｒ１＊Ｒ２＊Ｒ３＋Ｒ１＊Ｒ２＊Ｒ４＋Ｒ１＊Ｒ３＊Ｒ４＋Ｒ２＊Ｒ３＊Ｒ４）で表される。
【００６５】
このように、分圧回路１２ａにおいては、キー操作によりスイッチＳＷ１〜ＳＷ８のいずれかのスイッチを用いて回路中の所定箇所を短絡させることにより、値がそれぞれ異なる８つの分圧電圧が生じる。そして、当該分圧回路１２ａにおいて生じた分圧電圧は、入力電圧Ｖ１として、接続点Ｐを介して出力ポート１３に入力される。
【００６６】
次に、図３に示す分圧回路１２ｂは、抵抗値がＲ２である抵抗１６ｂと、抵抗値がＲ３である抵抗１７ｂと、抵抗値がＲ４である抵抗１８ｂと、抵抗値がＲ５である抵抗１９ｂの計４個の抵抗を備え、スイッチＳＷ１１のみが接続されている回路Ｌ１１と、抵抗１６ｂとスイッチＳＷ１２が接続されている回路Ｌ１２と、抵抗１７ｂとスイッチＳＷ１３が接続されている回路Ｌ１３と、抵抗１８ｂとスイッチＳＷ１４が接続されている回路Ｌ１４と、抵抗１９ｂとスイッチＳＷ１５が接続されている回路Ｌ１５により構成される。
【００６７】
詳しくは、回路Ｌ１１〜回路Ｌ１５を並列に接続するとともに、当該並列回路の一端を接続ライン１５を介して制限抵抗１４に接続し、他端を接地点Ｇに接続する。
【００６８】
また、回路Ｌ１２の抵抗１６ｂとスイッチＳＷ１２との間において、抵抗１６ｂに近いほうから順に、７つの接続点Ｐ１１〜Ｐ１７を設ける。以下、同様に、回路Ｌ１３の抵抗１７ｂとスイッチＳＷ１３との間において、抵抗１７ｂに近いほうから順に、７つの接続点Ｐ１８〜Ｐ２４を設け、回路Ｌ１４の抵抗１８ｂとスイッチＳＷ１４との間において、抵抗１８ｂに近いほうから順に、７つの接続点Ｐ２５〜Ｐ３１を設け、回路Ｌ１５の抵抗１９ｂとスイッチＳＷ１５との間において、抵抗１９ｂに近いほうから順に、７つの接続点Ｐ３２〜Ｐ３８を設ける。
【００６９】
さらに、接続点Ｐ１１−Ｐ１８間において、抵抗１６ｂと抵抗１７ｂとを短絡するためのスイッチＳＷ１６を設ける。以下、同様に、接続点Ｐ１２−Ｐ２７間において、抵抗１６ｂと抵抗１８ｂとを短絡するためのスイッチＳＷ１７を設け、接続点Ｐ１３−Ｐ３３間において、抵抗１６ｂと抵抗１９ｂとを短絡するためのスイッチＳＷ１８を設ける。
【００７０】
接続点Ｐ１９−Ｐ２５間においては、抵抗１７ｂと抵抗１８ｂとを短絡するためのスイッチＳＷ１９を設け、接続点Ｐ２０−Ｐ３４間において、抵抗１７ｂと抵抗１９ｂとを短絡するためのスイッチＳＷ２０を設け、接続点Ｐ２６−Ｐ３２間において、抵抗１８ｂと抵抗１９ｂとを短絡するためのスイッチＳＷ２１を設ける。
【００７１】
接続点Ｐ１４−Ｐ２１−Ｐ２８間においては、抵抗１６ｂと抵抗１７ｂと抵抗１８ｂとを短絡するためのスイッチＳＷ２２を設け、接続点Ｐ１５−Ｐ２２−Ｐ３５間において、抵抗１６ｂと抵抗１７ｂと抵抗１９ｂとを短絡するためのスイッチＳＷ２３を設ける。
【００７２】
接続点Ｐ１６−Ｐ３０−Ｐ３７間においては、抵抗１６ｂと抵抗１８ｂと抵抗１９ｂとを短絡するためのスイッチＳＷ２４を設け、接続点Ｐ２３−Ｐ２９−Ｐ３６間において、抵抗１７ｂと抵抗１８ｂと抵抗１９ｂとを短絡するためのスイッチＳＷ２５を設ける。
【００７３】
そして、最後に、接続点Ｐ１７−Ｐ２４−Ｐ３１−Ｐ３８間において、抵抗１６ｂと抵抗１７ｂと抵抗１８ｂと抵抗１９ｂとを短絡するためのスイッチＳＷ２６を設ける。
【００７４】
尚、上述した１１個のスイッチＳＷ１６〜ＳＷ２６は、それぞれ３個の接点を有しており、中間の接点が接地点Ｇに共通接続されている。
【００７５】
ここで、上記構成の分圧回路１２ｂにおいて、スイッチＳＷ１１〜スイッチＳＷ２６は、入力操作が行われる異なる１６個のキー（ＫＥＹ１１〜ＫＥＹ２６）にそれぞれ対応している。なお、スイッチＳＷ１１〜ＳＷ１５は、本発明における第１のスイッチ群を構成し、スイッチＳＷ１６〜ＳＷ２６は、本発明における第２のスイッチ群を構成している。
【００７６】
このため、例えば、ＫＥＹ１１が操作された場合、接続ライン１５の一端と接地点Ｇとが、スイッチＳＷ１１により短絡されるため、分圧回路１２ｂに生じる分圧電圧、つまり、接続点Ｐから出力ポート１３に入力される入力電圧Ｖ１は、Ｖ１＝０で表される。
【００７７】
同様に、例えば、ＫＥＹ１２が操作された場合、抵抗１６ｂの一端と接地点Ｇとが、スイッチＳＷ１２により短絡されるため、入力電圧Ｖ１は、Ｖ１＝Ｖ０＊Ｒ２／（Ｒ１＋Ｒ２）で表される。
【００７８】
以下同様にして、ＫＥＹ１３〜ＫＥＹ２６が操作された場合も、操作されたキーに対応するスイッチが抵抗を短絡することにより生じる回路状態に応じて、所定の入力電圧Ｖ１が生成される。
【００７９】
例えば、ＫＥＹ１６が操作された場合は、抵抗１６ｂの一端と抵抗１７ｂの一端が、スイッチＳＷ１６により短絡されるとともに、当該スイッチＳＷ１６を介して、接地点Ｇと接続されるため、入力電圧Ｖ１は、Ｖ１＝Ｖ０＊Ｒ２＊Ｒ３／（Ｒ１＊Ｒ２＋Ｒ１＊Ｒ３＋Ｒ２＊Ｒ３）で表される。
【００８０】
また、例えばＫＥＹ２２が操作された場合は、抵抗１６ｂの一端と、抵抗１７ｂの一端と、抵抗１８ｂの一端が、スイッチＳＷ２２により短絡されるとともに、当該スイッチＳＷ２２を介して、接地点Ｇと接続されるため、入力電圧Ｖ１は、Ｖ１＝Ｖ０＊Ｒ２＊Ｒ３＊Ｒ４／（Ｒ１＊Ｒ２＊Ｒ３＋Ｒ１＊Ｒ２＊Ｒ４＋Ｒ１＊Ｒ３＊Ｒ４＋Ｒ２＊Ｒ３＊Ｒ４）で表される。
【００８１】
このように、分圧回路１２ｂにおいては、キー操作によりスイッチＳＷ１１〜ＳＷ２６のいずれかのスイッチを用いて回路の所定箇所を短絡させることにより、値がそれぞれ異なる１６種の分圧電圧が生じる。そして、当該分圧回路１２ｂにおいて生じた分圧電圧は、入力電圧Ｖ１として、接続点Ｐを介して出力ポート１３に入力される。
【００８２】
尚、分圧回路１２ａおよび分圧回路１２ｂにおいて、いずれのキーも操作されない場合は、それぞれの分圧回路において上述の分圧電圧は生じないため、値がＶ０である入力電圧Ｖ１が、電源１１より制限抵抗１４を介して出力ポート１３に入力される。
【００８３】
このため、図１の分圧回路１２が、抵抗１６ａ〜抵抗１８ａの３個の抵抗を備えた分圧回路１２ａ（図２）である場合、値がそれぞれ異なる９種の入力電圧Ｖ１が、出力ポート１３を介して、演算処理回路２０に入力されるため、演算処理回路２０において、当該入力電圧Ｖ１に基づいて所定の処理を行うことにより、異なる９種のキー判別を行うことができる。したがって、３個の抵抗により５種のキー判別しかできない図６の場合と比較して、同じ３個の抵抗でありながら、より多くのキーを判別することが可能となる。
【００８４】
同様に、図１の分圧回路１２が、抵抗１６ｂ〜抵抗１９ｂの４個の抵抗を備えた分圧回路１２ｂ（図３）である場合、値がそれぞれ異なる１７種の入力電圧Ｖ１が、出力ポート１３を介して、演算処理回路２０に入力されるため、演算処理回路２０において、当該入力電圧Ｖ１に基づいて所定の処理を行うことにより、異なる１７種のキー判別を行うことができる。したがって、４個の抵抗により６種のキー判別しかできない図７の場合と比較して、同じ４個の抵抗でありながら、より多くのキーを判別することが可能となる。
【００８５】
次に、キー判別の詳細について説明する。キー判別は、変換テーブル２５ｂ（図１）を用いて行う。詳しくは、分圧回路１２が、上述の分圧回路１２ａである場合、変換テーブル２５ｂは、図４に示すようなテーブル構成となっており、また、分圧回路１２が、上述の分圧回路１２ｂである場合、変換テーブル２５ｂは、図５に示すようなテーブル構成となっている。
【００８６】
図４の変換テーブル２５ｂにおいて、２５ｅは、入力操作が行われたキー（以下、「操作キー」と記載）を示しており、２５ｆは、対応するキーが操作された場合に、分圧回路１２ａに生じる分圧電圧、つまり、出力ポート１３に入力される入力電圧Ｖ１の電圧値を示している。また、２５ｇは、各電圧値２５ｆに基づいて、判別プログラム２５ａが、出力部２６に出力するキー情報である。
【００８７】
同様に、図５の変換テーブル２５ｂにおいて、２５ｑは、操作キーを示しており、２５ｒは、対応するキーが操作された場合に、分圧回路１２ｂに生じる分圧電圧、つまり、出力ポート１３に入力される入力電圧Ｖ１の電圧値を示している。また、２５ｓは、各電圧値２５ｒに基づいて、判別プログラム２５ａが、出力部２６に出力するキー情報である。
【００８８】
そして、分圧回路１２ａを備えた入力回路１０から演算処理回路２０に入力された入力電圧Ｖ１の電圧値が、例えばＶ１＝Ｖ０＊Ｒ２＊Ｒ３／（Ｒ１＊Ｒ２＋Ｒ１＊Ｒ３＋Ｒ２＊Ｒ３）である場合、判別プログラム２５ａは、制御部２１の制御の下、図４の変換テーブル２５ｂを参照してキー判別を行い、上記電圧値Ｖ１に対応するＫＥＹ５が操作されたと判別する。そして、ＫＥＹ５のキー情報である「ＣＨ  ＵＰ」を出力部２６に出力する。
【００８９】
同様に、分圧回路１２ｂを備えた入力回路１０から演算処理回路２０に入力された入力電圧Ｖ１の電圧値が、例えばＶ１＝Ｖ０＊Ｒ２＊Ｒ３＊Ｒ４／（Ｒ１＊Ｒ２＊Ｒ３＋Ｒ１＊Ｒ２＊Ｒ４＋Ｒ１＊Ｒ３＊Ｒ４＋Ｒ２＊Ｒ３＊Ｒ４）である場合、判別プログラム２５ａは、制御部２１の制御の下、図５の変換テーブル２５ｂを参照してキー判別を行い、上記電圧値Ｖ１に対応するＫＥＹ１２が操作されたと判別する。そして、ＫＥＹ１２のキー情報である「ＴＩＬＴ  ＤＯＷＮ」を出力部２６に出力する。
【００９０】
このように、上述した本実施形態の分圧回路１２ａ，１２ｂにおいては、当該分圧回路に備えられる複数の抵抗を並列に接続し、各抵抗または各抵抗間を短絡するためのスイッチを複数設けて接地点Ｇと接続するため、複数の抵抗を直列に接続する従来の分圧回路１２ｃ，１２ｄと比べて、多くのスイッチが設けられる。
【００９１】
これにより、従来の分圧回路と同数の抵抗を用いて分圧回路を構成した場合においても、それぞれのキーに対応したスイッチを用いて回路を短絡させることにより、従来よりも多種類の分圧電圧を生じさせることができるため、同じ抵抗数でありながら、より多くのキーを判別することが可能となる。この結果、判別するキーの数が増大しても、抵抗数の増加を抑制してコストを低減することができる。
【００９２】
本発明では、以上述べた以外にも種々の実施形態を採用することができる。例えば、上記実施形態では、キー入力装置１を単体の装置として説明したが、これに限られず、ＤＶＤ（Digital Versatile Disk）プレーヤー等の機器の一部としてキー入力装置１を組み込んでも良い。
【００９３】
また、上記実施形態においては、図４や図５のように変換テーブル２５ｂを構成したが、これに限られず、各電圧値に対して、キー情報を任意に設定してもよい。
【００９４】
さらに、上記実施形態において、図２の分圧回路１２ａや図３の分圧回路１２ｂにおいて生じる分圧電圧（入力電圧Ｖ１）の電圧値が、いずれも同一とならない限りにおいては、各抵抗の抵抗値を任意に設定してよい。
【図面の簡単な説明】
【００９５】
【図１】キー入力装置の構成を示したブロック図である。
【図２】本発明の実施形態に係る分圧回路の構成の一例を示した図である。
【図３】本発明の実施形態に係る分圧回路の構成の他の例を示した図である。
【図４】変換テーブルの一例を示した図である。
【図５】変換テーブルの他の例を示した図である。
【図６】従来の分圧回路の構成の一例を示した図である。
【図７】従来の分圧回路の構成の他の例を示した図である。
【符号の説明】
【００９６】
１    キー入力装置
１０  入力装置
１１  電源
１２  分圧回路
１２ａ，１２ｂ  分圧回路
１３  出力ポート
１４  制限抵抗
１５  接続ライン
１６ａ〜１８ａ，１６ｂ〜１９ｂ  抵抗
２０  演算処理回路
２１  制御部
２２  入力ポート
２３  Ａ／Ｄ変換部
２４  一時記憶部
２５  記憶部
２５ａ  判別プログラム
２５ｂ  変換テーブル
２６  出力部
Ｐ１〜Ｐ９，Ｐ１１〜Ｐ３８  接続点
Ｌ１〜Ｌ４，Ｌ１１〜Ｌ１５  回路
ＳＷ１〜ＳＷ８，ＳＷ１１〜ＳＷ２６  スイッチ
Ｇ  接地点
Ｋ  キー
【図１】
2010055165.tif 000003
【図２】
2010055165.tif 000004
【図３】
2010055165.tif 000005
【図４】
2010055165.tif 000006
【図５】
2010055165.tif 000007
【図６】
2010055165.tif 000008
【図７】
2010055165.tif 000009